(57)【要約】【課題】座席家具を、マウンティング機構を不相応に複雑化することなく、立上がり補助位置で使用者にとって大きい快適性が得られるように設計しかつ開発することにある。【解決手段】  カップリングリンケージ（１１）が、シート（３）に対する背もたれ（５）のピボット運動を足部（４）に伝達しかつ逆に足部（４）のピボット運動を背もたれ（５）に伝達するように構成され、足部（４）の後方位置において足部（４）、カップリングリンケージ（１１）および／または背もたれ（５）に当接するストップ（１４）が設けられ、該ストップ（１４）が、カップリングリンケージ（１１）と協働して、着座位置から立上がり補助位置へのベースフレーム（１７）に対するシート（３）のピボット運動を、シート（３）に対する背もたれ（５）のピボット運動に変換し、同時に背もたれ（５）とシート（３）との間の開き角（α）を増大させるように構成された座席家具。【選択図】図３
2011218167.tif 000002
【特許請求の範囲】
【請求項１】
ベースフレーム（１７）と、背もたれ（５）と、シート（３）と、足部（４）とを有し、
背もたれ（５）および足部（４）は、シート（３）の下でカップリングリンケージ（１１）を介して連結され、
シート（３）は、着座位置から立上がり補助位置へとピボット運動可能にベースフレーム（１７）上に保持され、
立上がり補助位置では、シート（３）の座面が前方に傾斜される構成の座席家具（１）、より詳しくはアームチェアまたはソファ等の座席家具において、
カップリングリンケージ（１１）は、シート（３）に対する背もたれ（５）のピボット運動を足部（４）に伝達しかつ逆に足部（４）のピボット運動を背もたれ（５）に伝達するように構成され、
足部（４）の後方位置において足部（４）、カップリングリンケージ（１１）および／または背もたれ（５）に当接するストップ（１４）が設けられ、
該ストップ（１４）は、カップリングリンケージ（１１）と協働して、着座位置から立上がり補助位置へのベースフレーム（１７）に対するシート（３）のピボット運動を、シート（３）に対する背もたれ（５）のピボット運動に変換し、同時に背もたれ（５）とシート（３）との間の開き角（α）を増大させるように構成されていることを特徴とする座席家具。
【請求項２】
前記ストップ（１４）は、前方使用位置からシート（３）の下の方向への足部（４）のピボット運動の度合いを制限するように構成されていることを特徴とする請求項１記載の座席家具。
【請求項３】
前記ストップ（１４）は、シート（３）が着座位置から立上がり補助位置へとピボット運動されるときに、足部（４）をベースフレーム（１７）に対して実質的に静止位置に維持するように設計されていることを特徴とする請求項１または２記載の座席家具。
【請求項４】
前記背もたれ（５）および足部（４）はカップリングリンケージ（１１）を介して剛性連結されていることを特徴とする請求項１〜３のいずれか１項記載の座席家具。
【請求項５】
前記背もたれ（５）および足部（４）は、シート（３）に対して背もたれ（５）および足部（４）が常時同期してピボット運動するようにカップリングリンケージ（１１）を介して連結されていることを特徴とする請求項１〜４のいずれか１項記載の座席家具。
【請求項６】
前記立上がり補助位置から着座位置へのシート（３）のピボット運動を制限する他のストップ（１０）が設けられていることを特徴とする請求項１〜５のいずれか１項記載の座席家具。
【請求項７】
前記シート（３）を着座位置から立上がり補助位置へとピボット運動させる作動ドライブ（１２）が設けられていることを特徴とする請求項１〜６のいずれか１項記載の座席家具。
【請求項８】
前記足部（４）が前方使用位置にあるリクライニング位置から、足部（４）が休止位置にある着座位置を通って、シート（３）の座面が前方に傾斜した立上がり補助位置へと座席家具（１）を調節する、好ましくは単一の作動ドライブ（１２）が設けられていることを特徴とする請求項７記載の座席家具。
【請求項９】
前記作動ドライブ（１２）の作動要素（１６）は、足部（４）が使用位置にあるときに引っ込み位置にあり、作動ドライブ（１２）の作動要素（１６）は、シート（３）が立上がり補助位置にあるときに伸長位置にあり、作動ドライブ（１２）の作動要素（１６）は、シート（３）が着座位置にあるときに、引っ込み位置と伸長位置との間の位置にあることを特徴とする請求項８記載の座席家具。
【請求項１０】
前記背もたれ（５）は、シート（３）にピボット可能に取付けられていることを特徴とする請求項１〜９のいずれか１項記載の座席家具。
【請求項１１】
前記シート（３）は、前方領域がベースフレーム（１７）にピボット可能に取付けられていることを特徴とする請求項１〜１０のいずれか１項記載の座席家具。
【発明の詳細な説明】
【技術分野】
【０００１】
本発明は座席家具（seating furniture）に関し、より詳しくは、ベースフレーム、背もたれ、シート（座）および足部を備え、背もたれおよび足部がシートの下でカップリングリンケージにより連結され、シートが、着座位置から立上がり補助位置にピボット運動できるようにベースフレーム上に保持され、立上がり補助位置においてシートの座面が前方に傾斜される構成のアームチェア（肘掛け椅子）またはソファに関する。
【背景技術】
【０００２】
これに相当する座席家具類は、従来から知られている。より詳しくは、これらは、リクライニング位置および立上がり補助位置の両位置をとることができるアームチェアである。リクライニング位置では、座席家具の足部は前方使用位置に配置され、この位置で使用者はその足または脚を足部上に置くことができる。立上がり補助位置では、シートは、座面が前方に傾斜した上方位置をとる。この立上がり補助位置は、特に座席家具の老齢使用者が再び座席家具から立上がるのを容易にする。
【０００３】
冒頭で述べた形式のアームチェアは、例えば下記特許文献１から知られている。このアームチェアは足部、シートおよび背もたれが保持されたベースフレームを有している。また、着座位置に基づいて足部、シートおよび背もたれを調節するように構成されたマウンティング機構が設けられている。このマウンティング機構は、アームチェアを調節するための３つの作動ドライブを有している。
【０００４】
アームチェアの着座位置において、足部はシートより下に配置され背もたれは主として垂直に配置される。この着座位置から、アームチェアは第１リクライニング位置に調節され、この位置では足部が前方使用位置に延ばされる。このときシートは後方に傾斜した位置にある。シートと背もたれとの開き角は、着座位置におけるときと同じ開き角である。使用者がアームチェアのこの位置から更に低いリクライニング位置をとることができるようにするため、背もたれはシートに対して後方にピボット運動できる。この場合、背もたれとシートとの開き角は増大する。
【０００５】
着座位置から続いて、アームチェアは立上がり補助位置に調節することもできる。この目的のため、シートは着座位置に対して前方に傾斜されかつアームチェアのベースフレームに対して持ち上げられる。この場合、足部はシートより下に配置された状態に留まるため、立上がるときに使用者の邪魔にはならない。
【０００６】
この既知の座席家具では、マウンティング機構が複雑であること、および立上がり補助位置での使用者にとっての快適性が低いことが欠点である。立上がり補助位置では、使用者は、しばしば、不自然であると感じられる姿勢をとる。
【先行技術文献】
【特許文献】
【０００７】
【特許文献１】独国実用新案第２０ ２００４ ０１８ ８９８（Ｕ１）号明細書
【特許文献２】独国特許出願番号第１０ ２００９ ０１９ １００．３
【発明の概要】
【発明が解決しようとする課題】
【０００８】
したがって本発明は、冒頭に述べかつより詳細に説明した座席家具を、マウンティング機構の複雑さを不相応に増大させることなく、立上がり補助位置で使用者にとってより大きい快適性が達成されるように設計しかつ開発するという目的に基づいたものである。
【課題を解決するための手段】
【０００９】
上記目的は、特許請求の範囲の請求項１の前提部に記載の座席家具において、カップリングリンケージが、シートに対する背もたれのピボット運動を足部に伝達しかつ逆に足部のピボット運動を背もたれに伝達するように構成され、足部の後方位置において足部、カップリングリンケージおよび／または背もたれに当接するストップが設けられ、該ストップは、カップリングリンケージと協働して、着座位置から立上がり補助位置へのベースフレームに対するシートのピボット運動を、シートに対する背もたれのピボット運動に変換し、同時に背もたれとシートとの間の開き角を増大させるように構成されていることを特徴とする座席家具により達成される。
【００１０】
本発明による座席家具では、背もたれおよび足部はカップリングリンケージにより連結されており、シートに対する背もたれのピボット運動により、シートに対する足部のピボット運動も引き起こされるようになっている。この場合、カップリングリンケージは２方向に作用する。このことは、シートに対して足部がピボット運動すると、同じ態様でシートに対する背もたれのピボット運動も引き起こされることを意味する。座席家具が調節されるとき、シートの回りで背もたれをピボット運動させると、このピボット運動は少なくとも数領域で、シートに対する足部のピボット運動に直接連結される。
【００１１】
座席家具を調節するとき、足部、カップリングリンケージおよび／または背もたれのいずれかがストップに当接するようになる。これは、足部が後方位置をとる座席家具の一位置となる。この後方位置では、足部は、引っ込められること、すなわちシートの下に配置されることが好ましい。この後方位置が、座席家具が着座位置にあるときに足部がとる休止位置と一致するならば特に好都合である。
【００１２】
座席家具のどの位置にストップが正確に配置されるのか、また、座席家具のどのコンポーネントに対してこのストップが当接するようになるかは重要ではない。しかしながら、どのような場合であっても、カップリングリンケージを介して連結された足部および背もたれの移動が、ストップによりシートに対して制限されることが重要である。また、ストップは、シートに対する背もたれのピボット運動により着座位置から立上がり補助位置への座席家具の調節が付随するように、カップリングリンケージ、足部および／または背もたれと協働すべきである。
【００１３】
これは、好ましくは、背もたれとは別に、足部もまた、着座位置と立上がり補助位置との間でシートに対してピボット運動されることを意味する。これは、背もたれと足部とがカップリングリンケージを介して連結されていることにより行われ、したがって、着座位置から立上がり補助位置への座席家具の調節中にシートに対する調節も行われる。
【００１４】
座席家具が調節されるときにストップが足部に当接するならば特に簡単である。この結果、足部の休止位置（休止位置で、足部は座席家具の着座位置をとるのが好ましい）が定められる。この場合、足部と背もたれとが連結されているので、背もたれの位置、より詳しくは着座位置におけるシートと背もたれとの間の開き角も決定される。座席家具が着座位置から立上がり補助位置に調節されるとき、足部の自由なピボット運動はできなくてもよい。これは、同じ態様で背もたれに適用する必要はない。なぜならば、着座位置から立上がり補助位置に座席家具を調節する間に、背もたれが、好ましくは、ベースフレームに対し、特に上方および前方へ移動されるからである。
【００１５】
しかしながら、着座位置から立上がり補助位置への座席家具の調節中に、背もたれおよびシートは同じ態様で移動するのではなく、相対移動する。この場合、背もたれはシートに対して後方に傾斜され、このため背もたれとシートとの間の開き角が増大する。これにより、座席家具の使用者は、立上がり補助位置においてもその上体を実質的に垂直に維持でき、使用者にとって快適性が増大される。
【００１６】
ベースフレームは、基本的に、座席家具の調節による影響を受けず、座席家具のコンポーネンツの位置を保持するものである。ベースフレームは、側部、フレーム部品およびこれらの部品に連結された他のコンポーネンツであり、座席家具が移動されるときに空間的な移動を受けるに過ぎない。
【００１７】
本発明の観念における座席家具とは、より詳しくはアームチェアを意味するものである。しかしながら、座席家具にはソファまたはカウチ（寝椅子）も含まれる。座席家具の好ましい第１実施形態では、マウンティング機構は、足部を前方使用位置からシートの下方へのピボット運動の度合いを制限するように構成できる。このことは、足部は、前方使用位置から、足部の後方休止位置の方向に、任意ではあるが後方休止位置を越えて、ストップが足部、背もたれおよび／またはカップリングリンケージに当接するまでピボット運動できることを意味する。構造的に簡単な解決法は、足部の更なるピボット運動が、足部の後方休止位置において足部、背もたれおよび／またはカップリングリンケージへのストリップの当接により生じるようにすることである。換言すれば、ストップは、座席家具が着座位置にありおよび／または足部が休止位置にあるときに有効である。
【００１８】
この代わりに、またはこれに加えて、ストップは、シートが着座位置から立上がり補助位置へとピボット運動するときに、足部をベースフレームに対して実質的に静止位置に維持するように設計できる。したがって、足部は、シートが着座位置から立上がり補助位置にピボット運動されるときにピボット運動されないか、いかなる場合でもベースフレームに対して殆どピボット運動されない。それにもかかわらず、足部はシートに対してピボット運動され、これは、シートに対して、足部の前方使用位置の方向に足部をピボット運動させることに等しい。足部はカップリングリンケージを介して背もたれに連結されているので、背もたれは、シートに対して後方に同時にピボット運動される。背もたれのこのピボット運動は、今度は、シートに対する、着座位置からリクライニング位置の方向への背もたれのピボット運動に等しくなる。
【００１９】
背もたれと足部とがカップリングリンケージを介して剛性連結されるならば、座席家具の構造的に簡単な構成が達成される。かくして、背もたれと足部とが直接連結され、これにより、座席家具が調節されるときに、シートに対する背もたれのピボット運動は、いかなる場合でも、足部に直接伝達され、およびこれとは逆に足部から背もたれに伝達される。
【００２０】
背もたれと足部とがカップリングリンケージを介して連結され、背もたれおよび足部がシートに対して常時同期してピボット運動するならば、本発明の座席家具にとって特に有意義である。このことは、座席家具の全調節範囲に亘って、すなわち足部および背もたれの全ピボット運動範囲に亘って、シートに対する足部のピボット運動に付随して背もたれが同期的にピボット運動する（およびこの逆の関係でピボット運動する）ことを意味する。シートに対する足部および背もたれのこの同期ピボット運動にもかかわらず、足部および背もたれは、シートに対して異なる角度でピボット運動する。換言すれば、シートに対する足部および背もたれの対称的ピボット運動は不要である。シートに対する足部のピボット運動範囲は、シートに対する背もたれのピボット運動範囲よりかなり大きいことが好ましい。
【００２１】
座席家具の他の好ましい形態では、立上がり補助位置から着座位置へのシートのピボット運動を制限する他のストップが設けられている。この目的のため、他のストップはシートに当接する。これは、特に好ましくは座席家具の着座位置における簡単化のためである。これにより、座席家具を構造的に簡単化できる。ストップは、着座位置でのシートがかなりの度合いでストップにより支持されるように安定した形態に構成されており、このため使用者の体重の一部は、シートストップを介して床面に逃がされる。
【００２２】
座席家具の使用者ができる限り快適に座席家具から立上がることができるようにするため、シートを着座位置から立上がり補助位置へとピボット運動させる作動ドライブを設けることができる。この作動ドライブは、構造的に簡単な形態で、一端がベースフレームに、他端がシート、足部および／または背もたれに連結される。
【００２３】
しかしながら、基本的には、モータの補助なく着座位置から立上がり補助位置にシートを調節することを考えることもできる。全体として、他のストップは、シートの後方領域でシートに当接するのが賢明である。この場合、シートは、前方領域でベースフレームにピボット運動可能に取付けられる。
【００２４】
これに代えてまたはこれに加えて、座席家具を、足部が前方使用位置にあるリクライニング位置から、足部が後方休止位置にある着座位置へと調節する作動ドライブを設けることもできる。これにより、使用者は、力を加えることなく、座席家具を着座位置からリクライニング位置に調節しかつ戻すことができるため、快適性が増大される。
【００２５】
作動ドライブを節約するため、座席家具を調節するのに単一の作動ドライブのみを設けることができる。この場合、座席家具は、足部が前方使用位置にあるリクライニング位置から、着座位置（足部が後方休止位置にあるのが好ましい）を経て、シートの座面が前方に傾斜している立上がり補助位置に調節できる。したがって、この座席家具は、単一の作動ドライブにより、座席家具の全ての位置を調節できる。
【００２６】
この場合、足部が使用位置にあるときの作動ドライブの作動部材が引っ込み位置にあり、シートが立上がり補助位置にあるときの作動部材が伸長位置にありかつ着座位置での作動部材が引っ込み位置と伸長位置との間の位置にあるならば、座席家具の特に簡単で好都合な構成が達成される。したがって、座席家具の全ての位置をとることができるようにするのに、リニアドライブとして簡単化のために構成された作動ドライブのリニア調節のみで充分である。
【００２７】
また、リクライニング位置から着座位置を経て立上がり補助位置への座席家具の比較的均一な調節が可能になる。この場合、最初に、ストップが作動して足部が更に調節されることを防止する程度まで、足部がシートの下に引っ込められる。これにより、作動ドライブの作動部材を更に伸長させると、ベースフレームに対してシートが持ち上げられ、したがってピボット運動されるという事実がもたらされる。同時に、シートに対する足部（足部は、ストップのためベースフレームに対して固定されている）の相対ピボット運動が、シートに対する背もたれの相対ピボット運動に変換される。この結果、シートと背もたれとの間の開き角が増大される。次に、座席家具は、作動ドライブの作動部材を引っ込めることにより、立上がり補助位置から着座位置へと調節され、シートは次に、好ましくは他のストップに当接するまで後方にピボット運動される。これにより、シートの更なるピボット運動が防止される。調節ドライブの作動部材を更に引出すと、足部が、最終的に前方使用位置の方向にピボット運動される。
【００２８】
できる限り簡単でかつ不要なコンポーネンツを省略した座席家具の構造を達成するには、背もたれをシートに対してピボット運動可能に取付けるのが好ましい。
【００２９】
シートは、この前方領域をベースフレームにピボット運動可能に取付けるという構造的に簡単な方法で構成できる。しかしながら、ベースフレームに対する他の任意のピボット運動可能なマウンティング機構、例えば補完マウンティングも可能である。
【図面の簡単な説明】
【００３０】
以下、例示の一実施形態を示すに過ぎない添付図面を参照して本発明を説明する。
【００３１】
【図１】本発明による座席家具がリクライニング位置にあるところを示す図面である。
【図２】図１の座席家具が着座位置にあるところを示す図面である。
【図３】図１の座席家具が立上がり補助位置にあるところを示す図面である。
【発明を実施するための形態】
【００３２】
図１は、アームチェアの形態をなす座席家具１を垂直断面で示す概略図である。この場合、切断面は、図面を見る方向から見て前方より後ろに位置しており、したがって座席家具１の側部は示されていない。側部は、座席家具１の反対側に示す側部２と同じである。両側部２の間には、シート３、足部４および背もたれ５が設けられている。また、座席家具１を種々の位置の間で調節するためのマウンティング機構６も設けられている。マウンティング機構６は、足部４、シート３および背もたれ５に関節連結されかつシート３の下のクロスビーム７に連結されている。
【００３３】
図示の好ましい座席家具１では、シート３は支持プレート８を介して側部２にピボット連結されている。シート３がピボット運動する回転軸線９は、シート３の前方領域に位置している。シート３の後方領域では、シート３は対応ストップ１０上に確実に載置され、これらの各ストップ１０は側部２に横方向に確実に連結されている。シート３は、この前方部が足部４にピボット連結されている。シート３の後部では、背もたれ５もシート３にピボット連結されている。
【００３４】
背もたれ５は、カップリングリンケージ１１を介して足部４にピボット連結されている。また、背もたれ５は、作動ドライブ１２を介して座席家具１のクロスビーム７にピボット連結されている。カップリングリンク１３の各端部が、シート３およびカップリングリンケージ１１に関節連結されている。クロスビーム７には、ストップ１４も支持されている。
【００３５】
図１に示すリクライニング位置では、ストップ１４は機能しておらず、足部４は前方使用位置にある。この前方使用位置では、使用者はその足および／または脚を足部４上に置くことができる。より良い図示のため、足部４、シート３および背もたれ５の椅子張りは示されていない。足部４の支持面１５は、前方使用位置では上を向いている。また、リクライニング位置では、背もたれ５は、シート３に対して後方へ比較的大きく傾斜している。したがって、リクライニング位置では、背もたれ５およびシート３は、比較的大きい開き角αＬ（この開き角αＬは、１８０°よりはかなり小さい）を呈する。
【００３６】
図１に示すリクライニング位置から、座席家具１は、図２に示す着座位置に調節できる。この目的のため、図示の好ましい座席家具１では背もたれ５に取付けられた作動ドライブ１２の作動部材１６が、部分的に伸長した位置に移動される。これにより、背もたれ５が、リクライニング位置からシート３の方向の着座位置にピボット運動される事実がもたらされる。したがって、着座位置では、背もたれ５とシート３との間の開き角αＳは、リクライニング位置における開き角αＬより小さくなる。また、図示の好ましい座席家具では、着座位置での背もたれ５は、より急勾配で実質的に垂直方向に置かれる。
【００３７】
図示の好ましい座席家具１では、シート３の位置は、リクライニング位置と着座位置との間で変化する。しかしながら、着座位置からリクライニング位置に調節されると、シート３が前方に変位されることは想像されよう。背もたれ５が足部４に連結されているため、背もたれ５をより直立位置にピボット運動させると、足部４が前方使用位置から後方休止位置にピボット運動する。この後方休止位置では、足部４は、クロスビーム７により支持されたストップ１４上に休止する。ストップ１４は、足部４がシート３の下でこれ以上後方にピボット運動できないようにする。足部４と背もたれ５とが連結されているため、背もたれ５もこれ以上直立位置にピボット運動することはできない。
【００３８】
作動ドライブ１２の作動要素１６を図２に示す位置から更に伸長させると、足部４がストップ１４に当接しておりかつシート３とベースフレーム１７とがピボット連結されているため、シート３は背もたれ５と一緒に上方にピボット運動される。これにより、座席家具１は、図３に示す立上がり補助位置に到達したことになる。
【００３９】
この位置では、シート３は他のストップ１０から持ち上げられ、シート３の座面は前方に傾斜される。座席家具１を立上がり補助位置に調節しても、ベースフレーム１７に対する足部４の位置に全く影響を与えない。足部４は、ストップ１４上に休止し続ける。しかしながら、シート３が前方にピボット運動すると、足部４とシート３との開き角βＡは、着座位置における開き角より大きくなる。足部４がストップ１４に当接していても、シート３に対する足部４のピボット運動は生じ、これはカップリングリンケージ１１を介して背もたれ５に伝達される。この伝達は背もたれ５がシート３から離れる方向にピボット運動するようにして生じ、このため、立上がり補助位置では、背もたれ５とシート３との間に、着座位置における開き角αＳよりも大きい開き角αＡが形成される。図示の好ましい座席家具１では、作動ドライブ１２をリクライニング位置から続けてリニア調節することにより、最初に背もたれ５がシート３に向かってピボット運動し、より詳しくは、着座位置に到達するまで開き角αが減少する。
【００４０】
立上がり補助位置では、シート３は、両側部２に対して支持プレート８およびクロスビーム７により支持されているに過ぎず、他のストップ１０はシート３に当接していない。
【００４１】
立上がり補助位置からリクライニング位置への座席家具１の調節は、リクライニング位置から立上がり補助位置への座席家具１の調節と同じ態様で行われる。しかしながら、座席家具１の個々の調節段階は、逆の順序で行われる。
【００４２】
背もたれ５と足部４とは連続カップリングロッドの形態でカップリングリンケージ１１を介して剛性連結されており、カップリングリンケージ１１によるこの剛性連結の結果として、背もたれ５と足部４は、どのような場合でも、同期的にピボット運動する。このことは、足部４または背もたれ５のピボット運動により、それぞれ他方のコンポーネントのピボット運動を引き起こすことを意味する。
【００４３】
座席家具の他の実施形態（図示せず）では、作動ドライブの作動要素をシートに直接係合させ、単にシートを着座位置から立上がり補助位置にピボット運動させるように構成することもできる。この場合、リクライニング位置と着座位置との間の座席家具の調節は、作動ドライブとは独立して行われる。またこの場合には、カップリングリンケージは、例えばガス圧縮スプリングのようなスプリング手段を介してクロスビームに連結されるのが好ましい。スプリング手段は、リクライニング位置から着座位置へのピボット運動中および着座位置からリクライニング位置へのピボット運動中に打勝たなくてはならない復元力をカップリングリンケージに加える。このようなスプリング手段の代わりに、逆方向に作用する２つ以上のスプリング手段を設けることもできる。
【００４４】
カップリングリンケージとスプリング手段との組合せは、本願に援用する上記特許文献２において既に開示されている。この場合には、スプリング手段をシートに固定し、座席家具が着座位置から立上がり補助位置に調節されるときに、シートをスプリング手段と一緒に持上げおよび／またはピボット運動させるのが有利である。足部と背もたれとの間の調節に関しては、スプリング手段は、シートが持ち上げられているか、および／または立上がり補助位置にピボット運動されているか否かにかかわらず常に作用している。この場合、作動ドライブは、シートを着座位置から立上がり補助位置に移動させるのに必要であるに過ぎない。シートに対する足部および背もたれの相対調節は、カップリングリンケージにより達成される。
【符号の説明】
【００４５】
１  座席家具
３  シート
４  足部
５  背もたれ
６  マウンティング機構
１０、１４  ストップ
１１  カップリングリンケージ
１２  作動ドライブ
１６  作動部材
１７  ベースフレーム
【図１】
2011218167.tif 000003
【図２】
2011218167.tif 000004
【図３】
2011218167.tif 000005
【外国語明細書】
2011218167.tif 000006
2011218167.tif 000007
2011218167.tif 000008
2011218167.tif 000009
2011218167.tif 000010
2011218167.tif 000011
2011218167.tif 000012
2011218167.tif 000013
2011218167.tif 000014
2011218167.tif 000015
2011218167.tif 000016
2011218167.tif 000017
2011218167.tif 000018
2011218167.tif 000019
2011218167.tif 000020
2011218167.tif 000021
2011218167.tif 000022
2011218167.tif 000023
2011218167.tif 000024
2011218167.tif 000025
2011218167.tif 000026
2011218167.tif 000027
2011218167.tif 000028